(57)【要約】【課題】高圧トランスの二次側および相手の装置に三相ケーブルを接続したままの状態で誤配線の有無を迅速かつ正確に検査し得るようにすることにある。【解決手段】高圧トランスの二次側と相手の装置とを接続した三相ケーブルの誤配線の有無を検査する装置において、下流側への接続を断った前記相手の装置側の前記ケーブルのケーブル端の三相のうち二組の二相に互いに異なる周波数の検査信号を与える送信機と、前記高圧トランスの二次側の前記ケーブルのケーブル端の三相のうち三組の二相から検査信号を受信してそれらの検査信号の出力電圧を前記周波数毎に測定し、分圧比により各相の接続状態を判定する受信機と、を具えてなる、三相ケーブル配線検査装置である。【選択図】図１
0003103345.tif 000002
【実用新案登録請求の範囲】
【請求項１】
高圧トランスの二次側と相手の装置とを接続した三相ケーブルの誤配線の有無を検査する装置において、
下流側への接続を断った前記相手の装置側の前記ケーブルのケーブル端の三相のうち二組の二相に互いに異なる周波数の検査信号を与える送信機と、
前記高圧トランスの二次側の前記ケーブルのケーブル端の三相のうち三組の二相から検査信号を受信してそれらの検査信号の出力電圧を前記周波数毎に測定し、分圧比により各相の接続状態を判定する受信機と、
を具えてなる、三相ケーブル配線検査装置。
【請求項２】
高圧トランスの二次側と相手の装置とを接続した三相ケーブルの誤配線の有無を検査する装置に用いられる送信機において、
下流側への接続を断った前記相手の装置側の前記ケーブルのケーブル端の三相のうち二組の二相に互いに異なる周波数の検査信号を与えることを特徴とする、請求項１記載の三相ケーブル配線検査装置用送信機。
【請求項３】
高圧トランスの二次側と相手の装置とを接続した三相ケーブルの誤配線の有無を検査する装置に用いられる受信機において、
前記高圧トランスの二次側の前記ケーブルのケーブル端の三相のうち三組の二相から検査信号を受信してそれらの検査信号の出力電圧を前記周波数毎に測定し、分圧比により各相の接続状態を判定することを特徴とする、請求項１記載の三相ケーブル配線検査装置用受信機。
【考案の詳細な説明】
【技術分野】
【０００１】
この考案は、三相ケーブルによる配線を検査するための装置に関するものである。
【背景技術】
【０００２】
多くの電力量を必要とする電力需要者の受電設備は一般に、高電圧を低電圧に変換する設備として高圧トランスを使用しており、この高圧トランスの二次側の三相交流配線をケーブルで行う場合、トランス容量や電力負荷容量との見合いでケーブル容量が決定されることとなるが、大きなケーブル容量が必要とされる場合には一般に、複数本の三相ケーブルを相毎に並列に接続してその必要なケーブル容量を満たしている。
【考案の開示】
【考案が解決しようとする課題】
【０００３】
このように相毎に並列接続した複数本の三相ケーブルで高圧トランスの二次側と相手の装置との間を接続する場合、その配線の検査は従来、それらからケーブルを外してテスター等で各相の心線を導通試験することで心線を対照するか、それらにケーブルを接続した状態で各相の心線の色別により目視で確認するといった方法で行っていた。
【０００４】
しかしながら上記前者の方法では、高圧トランスと相手の装置とに対するケーブルの取り外しおよび再取り付けに時間がかかり、また配線検査後の再取り付け時に誤接続が生ずる可能性もあった。一方上記後者の方法では、目視による確認のため見間違う可能性があった。それゆえこの考案は、高圧トランスの二次側および相手の装置に三相ケーブルを接続したままの状態で誤配線の有無を迅速かつ正確に検査し得る装置を提供することを目的としている。
【課題を解決するための手段】
【０００５】
上記課題を有利に解決するこの考案の三相ケーブル配線検査装置は、高圧トランスの二次側と相手の装置とを接続した三相ケーブルの誤配線の有無を検査する装置において、下流側への接続を断った前記相手の装置側の前記ケーブルのケーブル端の三相のうち二組の二相に互いに異なる周波数の検査信号を与える送信機と、前記高圧トランスの二次側の前記ケーブルのケーブル端の三相のうち三組の二相から検査信号を受信してそれらの検査信号の出力電圧を前記周波数毎に測定し、分圧比により各相の接続状態を判定する受信機と、を具えてなるものである。
【０００６】
そして、上記三相ケーブル配線検査装置に用いられるこの考案の送信機は、下流側への接続を断った前記相手の装置側の前記ケーブルのケーブル端の三相のうち二組の二相に互いに異なる周波数の検査信号を与えることを特徴としており、また、上記三相ケーブル配線検査装置に用いられるこの考案の受信機は、前記高圧トランスの二次側の前記ケーブルのケーブル端の三相のうち三組の二相から検査信号を受信してそれらの検査信号の出力電圧を前記周波数毎に測定し、分圧比により各相の接続状態を判定することを特徴としている。
【考案の効果】
【０００７】
かかるこの考案の三相ケーブル配線検査装置にあっては、送信機が、下流側への接続を断った相手の装置側のケーブルのケーブル端の三相のうち二組の二相に互いに異なる周波数の検査信号を与え、その状態で受信機が、高圧トランスの二次側のケーブルのケーブル端の三相のうち三組の二相から検査信号を受信してそれらの検査信号の出力電圧を上記周波数毎に測定し、高圧トランスの二次側巻き線での分圧比により各相の接続状態を判定する。
【０００８】
従って、この考案の三相ケーブル配線検査装置によれば、高圧トランスの二次側および相手の装置に三相ケーブルを接続したままの状態で誤配線の有無を迅速かつ正確に検査することができる。
【考案を実施するための最良の形態】
【０００９】
以下に、この考案の実施の形態を実施例によって、図面に基づき詳細に説明する。ここに、図１（ａ）は、この考案の三相ケーブル配線検査の一実施例を構成する送信機、図１（ｂ）は、その実施例の三相ケーブル配線検査装置を構成する受信機をそれぞれ示すブロック線図、図２は、上記実施例の三相ケーブル配線検査装置を用いた三相ケーブル配線検査方法を示す説明図である。
【００１０】
この実施例の三相ケーブル配線検査装置は、図２に示すように、送信機Ｔと受信機Ｒとで構成されており、ここにおける送信機Ｔは、図１（ａ）に示すように、Ｔ相，Ｓ相，Ｒ相のそれぞれの端子への接続用の三つのクリップ１と、あらかじめ与えられたプログラムに基づき作動してパルス幅変調の４５Ｈｚ（ｆ０）と６５Ｈｚ（ｆ１）との検査信号をそれぞれ出力する通常のマイクロコンピュータ（マイコン）２と、それら４５Ｈｚと６５Ｈｚとの検査信号をそれぞれ増幅するＤ級増幅回路３と、そのＤ級増幅回路３が増幅した４５Ｈｚと６５Ｈｚとの検査信号のそれぞれの周波数特性を整えるバンドパスフィルタ（ＢＰＦ）４と、そのＢＰＦ４の４５Ｈｚおよび６５Ｈｚの検査信号の出力回路とＴ相およびＳ相のそれぞれの端子への接続用のクリップ１との間をマイコン２の制御によって断接する回線接続回路５とを具えている。
【００１１】
また上記送信機Ｔは、Ｔ相の端子への接続用のクリップ１とＳ相の端子への接続用のクリップ１との間の交流電圧を整流および増幅してマイコン２へ出力する電圧監視回路６と、受信機Ｒから送信された、複数種類ずつ二組の周波数の組合せを変えて複数種類の検査結果を識別可能にしたＤＴＭＦ（Ｄｕａｌ  Ｔｏｎｅ  Ｍｕｌｔｉ  Ｆｒｅｑｕｅｎｃｙ）トーンをクリップ１から受信して検査結果に変換しマイコン２へ出力するＤＴＭＦレシーバ７と、検査結果を複数の発光ダイオードの発光パターンで表示する表示器８と、検査結果を音響で出力するブザー９と、上記マイコン２および他の各回路に電源を供給する電源回路１０とを具えており、ここで、マイコン２は、電圧監視回路６が出力する電圧をアナログ−デジタル変換（ＡＤＣＯＮＶ）機能によってデジタル値に変換し、Ｔ相の端子とＳ相の端子との間の交流電圧に対応するそのデジタル値が所定値以下の安全な場合に、回線接続回路５に、ＢＰＦ４の４５Ｈｚと６５Ｈｚとの検査信号の出力回路とＴ相およびＳ相のそれぞれの端子への接続用のクリップ１との間を接続させる。なお、Ｒ相の端子への接続用のクリップ１は、送信機Ｔのアース回路に接続されている。
【００１２】
一方、ここにおける受信機Rは、上記送信機Ｔにおけると同様の部分をそれと同一の符号で示すと、図１（ｂ）に示すように、Ｔ相，Ｓ相，Ｒ相のそれぞれの端子への接続用の三つのクリップ１と、それら三つのクリップ１からそれらのうち二つずつ三組の各組間における上記検査信号の出力電圧を求めて増幅する差動増幅回路１１と、その差動増幅回路１１が出力する三つの出力電圧のそれぞれの周波数特性を整えるバンドパスフィルタ（ＢＰＦ）４と、あらかじめ与えられたプログラムに基づき作動してそのＢＰＦ４が出力する三つの出力電圧すなわち三つのクリップ１のうち二つずつ三組の各組間での上記検査信号の出力電圧をそれぞれアナログ−デジタル変換（ＡＤＣＯＮＶ）機能によってデジタル値に変換して受信し、それらの出力電圧の値を上記４５Ｈｚ（ｆ０）と６５Ｈｚ（ｆ１）との周波数毎に測定して、後述のように分圧比により各相の接続を判定する通常のマイクロコンピュータ（マイコン）２と、Ｔ相およびＳ相のそれぞれの端子への接続用のクリップ１と差動増幅回路１１との間をマイコン２の制御によって断接する回線接続回路５とを具えている。
【００１３】
また上記受信機Ｒは、Ｔ相の端子への接続用のクリップ１とＳ相の端子への接続用のクリップ１との間の交流電圧を整流および増幅してマイコン２へ出力する電圧監視回路６と、マイコン２から出力される検査結果信号を上記ＤＴＭＦトーンに変換してクリップ１から送信機Tへ送信するＤＴＭＦトランスミッタ１２と、検査結果を複数の発光ダイオードの発光パターンで表示する表示器８と、検査結果を音響で出力するブザー９と、上記マイコン２および他の各回路に電源を供給する電源回路１０とを具えており、ここで、マイコン２は、電圧監視回路６が出力する電圧をアナログ−デジタル変換（ＡＤＣＯＮＶ）機能によってデジタル値に変換し、Ｔ相の端子とＳ相の端子との間の交流電圧に対応するそのデジタル値が所定値以下の安全な場合に、回線接続回路５に、Ｔ相およびＳ相のそれぞれの端子への接続用のクリップ１と作動増幅回路１１との間を接続させる。なお、Ｒ相の端子への接続用のクリップ１は、受信機Ｒのアース回路に接続されている。
【００１４】
次に、かかる実施例の三相ケーブル配線検査装置を用いた三相ケーブル配線検査方法について説明する。この三相ケーブル配線検出方法は、図２に示す如き受電設備に適用したもので、この受電設備は、商用三相交流電源を供給されるとともにサーキットブレーカＣＢを有する高圧分電盤ＨＤＢと、その高圧分電盤ＨＤＢに接続されるとともにスイッチＤＳを有するコンデンサ盤ＬＣＢと、上記高圧分電盤ＨＤＢからの高電圧を一次側巻き線に入力し、低電圧に変換して二次側巻き線から出力する高圧トランスを有する高圧トランス盤ＨＴＢと、上記高圧トランスの二次側を複数の低圧分岐盤ＬＢＢに切替接続するスイッチＭＣＸ／Ｙを有するとともに、電圧計およびそれを三相交流回路に対し断接するスイッチＶＳとパイロットランプＰＬとを有する低圧切替盤ＬＳＢとを具えている。そして、高圧トランス盤ＨＴＢと低圧切替盤ＬＳＢとの間は、互いに同一の相の芯線同士を並列接続することで相毎に並列接続した三本の三相ケーブルＴＣによって配線されている。
【００１５】
しかしてこの三相ケーブル配線検査方法は、上記三本の三相ケーブルＴＣによる配線の適否を検査するに際し、図２に示すように、高圧分電盤ＨＤＢ内のサーキットブレーカＣＢを開放するとともにコンデンサ盤ＬＣＢ内のスイッチＤＳを切って高圧トランス盤ＨＴＢ内の高圧トランスの一次側への電源供給を止めるとともに、送信機Ｔの、Ｔ相，Ｓ相，Ｒ相のそれぞれの端子への接続用の三つのクリップ１を、高圧トランスの相手の装置としての低圧切替盤ＬＳＢの入力側のＴ相端子、Ｓ相端子およびＲ相端子にそれぞれ接続し、また、受信機Ｒの、Ｔ相，Ｓ相，Ｒ相のそれぞれの端子への接続用の三つのクリップ１を、高圧トランス盤ＨＴＢの二次側（出力側）のＴ相端子、Ｓ相端子およびＲ相端子にそれぞれ接続し、さらに、ケーブルＴＣの下流側への接続を断つため、低圧切替盤ＬＳＢ内のスイッチＶＳを切るとともにスイッチＭＣＸ／Ｙを開放にして全ての低圧分岐盤ＬＢＢの接続を断ち、その状態で送信機Ｔおよび受信機Ｒを作動させる。
【００１６】
これにより送信機Ｔは、低圧切替盤ＬＳＢ側のケーブルＴＣのケーブル端のＴ，Ｓ，Ｒの三相のうち二組の二相（Ｔ−Ｒ，Ｓ−Ｒ）に互いに異なるが商用交流電源の５０Ｈｚおよび６０Ｈｚとも異なる４５Ｈｚと６５Ｈｚとの周波数の検査信号を与え、受信機Ｒは、高圧トランス盤ＨＴＢ内の高圧トランスの二次側のケーブルＴＣのケーブル端のＴ，Ｓ，Ｒの三相のうち三組の二相（Ｔ−Ｒ，Ｓ−Ｒ，Ｔ−Ｓ）から検査信号を受信してそれらの検査信号の出力電圧を上記４５Ｈｚ（ｆ０）と６５Ｈｚ（ｆ１）との周波数毎に測定し、その受信機Ｒ内のマイコン２は、図３〜図１２に示すように、高圧トランスの二次側巻き線での分圧比により各相の接続状態を判定する。ここに、ＶｔｒはＴ相−Ｒ相間電圧、ＶｔｓはＴ相−Ｓ相間電圧、ＶｓｒはＳ相−Ｒ相間電圧をそれぞれ示す。
【００１７】
すなわち、図３に示すように、三本のケーブルＴＣの各芯線が全て正常に接続されている場合には、高圧トランスの二次側巻き線での分圧比により、４５Ｈｚ（ｆ０）成分についてはＶｔｓ≒Ｖｔｒ／２、Ｖｓｒ≒Ｖｔｒ／２となり、また６５Ｈｚ（ｆ１）成分についてはＶｔｓ≒Ｖｓｒ／２、Ｖｔｒ≒Ｖｓｒ／２となる。
【００１８】
これに対し、例えば図４に示すように、Ｔ相−Ｓ相間が短絡している場合は、４５Ｈｚ（ｆ０）成分についてはＶｔｓ≒０Ｖ、Ｖｓｒ≒Ｖｔｒとなり、また６５Ｈｚ（ｆ１）成分についてはＶｔｓ≒０Ｖ、Ｖｔｒ≒Ｖｓｒとなる。
【００１９】
また、例えば図５に示すように、Ｔ相−Ｒ相間が短絡している場合は、４５Ｈｚ（ｆ０）成分についてはＶｔｓ≒０Ｖ、Ｖｓｒ≒０Ｖとなり、また６５Ｈｚ（ｆ１）成分についてはＶｔｓ≒Ｖｓｒ、Ｖｔｒ≒０Ｖとなる。
【００２０】
さらに、例えば図６に示すように、Ｓ相−Ｒ相間が短絡している場合は、４５Ｈｚ（ｆ０）成分についてはＶｔｓ≒Ｖｔｒ、Ｖｓｒ≒０Ｖとなり、また６５Ｈｚ（ｆ１）成分についてはＶｔｓ≒０、Ｖｔｒ≒０Ｖとなる。
【００２１】
そして、例えば図７に示すように、全ての相間が短絡している場合は、４５Ｈｚ（ｆ０）成分についてはＶｔｓ≒０Ｖ、Ｖｓｒ≒０Ｖとなり、また６５Ｈｚ（ｆ１）成分についてはＶｔｓ≒０Ｖ、Ｖｔｒ≒０Ｖとなる。
【００２２】
一方、例えば図８に示すように、Ｔ相とＳ相とが完全に入れ違っている場合は、４５Ｈｚ（ｆ０）成分についてはＶｔｓ≒Ｖｔｒ、Ｖｓｒ≒Ｖｔｒ×２となり、また６５Ｈｚ（ｆ１）成分についてはＶｔｓ≒Ｖｓｒ、Ｖｔｒ≒Ｖｓｒ×２となる。
【００２３】
また、例えば図９に示すように、Ｔ相とＲ相とが完全に入れ違っている場合は、４５Ｈｚ（ｆ０）成分についてはＶｔｓ≒Ｖｔｒ／２、Ｖｓｒ≒Ｖｔｒ／２となり、また６５Ｈｚ（ｆ１）成分についてはＶｔｓ≒Ｖｓｒ×２、Ｖｔｒ≒Ｖｓｒとなる。
【００２４】
さらに、例えば図１０に示すように、Ｓ相とＲ相とが完全に入れ違っている場合は、４５Ｈｚ（ｆ０）成分についてはＶｔｓ≒Ｖｔｒ×２、Ｖｓｒ≒Ｖｔｒとなり、また６５Ｈｚ（ｆ１）成分についてはＶｔｓ≒Ｖｓｒ／２、Ｖｔｒ≒Ｖｓｒ／２となる。
【００２５】
さらに、例えば図１１に示すように、Ｔ相がＳ相に、Ｓ相がＲ相に、Ｒ相がＴ相にそれぞれ接続されている場合は、４５Ｈｚ（ｆ０）成分についてはＶｔｓ≒Ｖｔｒ、Ｖｓｒ≒Ｖｔｒ×２となり、また６５Ｈｚ（ｆ１）成分についてはＶｔｓ≒Ｖｓｒ×２、Ｖｔｒ≒Ｖｓｒとなる。
【００２６】
そして、例えば図１２に示すように、Ｔ相がＲ相に、Ｒ相がＳ相に、Ｓ相がＴ相にそれぞれ接続されている場合は、４５Ｈｚ（ｆ０）成分についてはＶｔｓ≒Ｖｔｒ×２、Ｖｓｒ≒Ｖｔｒとなり、また６５Ｈｚ（ｆ１）成分についてはＶｔｓ≒Ｖｓｒ、Ｖｔｒ≒Ｖｓｒ×２となる。
【００２７】
このように４５Ｈｚ（ｆ０）と６５Ｈｚ（ｆ１）とでの出力電圧の組み合わせにより、受信機Ｒのマイコン２は各相の接続状態を判定し、受信機Ｒのマイコン２は、その判定結果を検査結果として、受信機Ｒの表示器８により表示出力するとともに受信機Ｒのブザー９により音響で出力し、さらにその判定結果をＤＴＭＦトランスミッタ１２により送信機Ｔにする。そして送信機Ｔのマイコン２は、ＤＴＭＦレシーバ７によりその受信機Ｒからの判定結果を受信し、その判定結果を検査結果として、送信機Ｔの表示器８により表示出力するとともに送信機Ｔのブザー９により音響で出力する。
【００２８】
従って、この実施例の三相ケーブル配線検査装置によれば、高圧トランス盤ＨＴＢ内の高圧トランスの二次側および相手の装置としての低圧切替盤ＬＳＢに三本の三相ケーブルＴＣを接続したままの状態でそれらの三相ケーブルＴＣの誤配線の有無を迅速かつ正確に検査することができる。
【００２９】
以上、図示例に基づき説明したが、この考案は上述の例に限定されるものでなく、実用新案登録請求の範囲の記載の範囲内で当業者であれば適宜変更し得るものである。
【産業上の利用可能性】
【００３０】
かくしてこの考案の三相ケーブル配線検査装置によれば、高圧トランスの二次側および相手の装置に三相ケーブルを接続したままの状態で誤配線の有無を迅速かつ正確に検査することができる。
【図面の簡単な説明】
【００３１】
【図１】（ａ）は、この考案の三相ケーブル配線検査装置の一実施例を構成する送信機、（ｂ）は、その実施例の三相ケーブル配線検査装置を構成する受信機をそれぞれ示すブロック線図である。
【図２】上記実施例の三相ケーブル配線検査装置を用いた三相ケーブル配線検査方法を例示す説明図である。
【図３】上記実施例の三相ケーブル配線検査装置での接続状況の判断結果の一例を示す説明図である。
【図４】上記実施例の三相ケーブル配線検査装置での接続状況の判断結果の他の一例を示す説明図である。
【図５】上記実施例の三相ケーブル配線検査装置での接続状況の判断結果のさらに他の一例を示す説明図である。
【図６】上記実施例の三相ケーブル配線検査装置での接続状況の判断結果のさらに他の一例を示す説明図である。
【図７】上記実施例の三相ケーブル配線検査装置での接続状況の判断結果のさらに他の一例を示す説明図である。
【図８】上記実施例の三相ケーブル配線検査装置での接続状況の判断結果のさらに他の一例を示す説明図である。
【図９】上記実施例の三相ケーブル配線検査装置での接続状況の判断結果のさらに他の一例を示す説明図である。
【図１０】上記実施例の三相ケーブル配線検査装置での接続状況の判断結果のさらに他の一例を示す説明図である。
【図１１】上記実施例の三相ケーブル配線検査装置での接続状況の判断結果のさらに他の一例を示す説明図である。
【図１２】上記実施例の三相ケーブル配線検査装置での接続状況の判断結果のさらに他の一例を示す説明図である。
【符号の説明】
【００３２】
１  クリップ
２  マイクロコンピュータ（マイコン）
３  Ｄ級増幅回路
４  バンドパスフィルタ
５  回線接続回路
６  電圧監視回路
７  ＤＴＭＦレシーバ
８  表示器
９  ブザー
１０  電源回路
１１  差動増幅回路
１２  ＤＴＭＦトランスミッタ
ＨＤＢ  高圧分電盤
ＨＴＢ  高圧トランス盤
ＬＢＢ  低圧分岐盤
ＬＣＢ  コンデンサ盤
ＬＳＢ  低圧切替盤
Ｒ  受信機
Ｔ  送信機
ＴＣ  三相ケーブル
【図１】
0003103345.tif 000003
【図２】
0003103345.tif 000004
【図３】
0003103345.tif 000005
【図４】
0003103345.tif 000006
【図５】
0003103345.tif 000007
【図６】
0003103345.tif 000008
【図７】
0003103345.tif 000009
【図８】
0003103345.tif 000010
【図９】
0003103345.tif 000011
【図１０】
0003103345.tif 000012
【図１１】
0003103345.tif 000013
【図１２】
0003103345.tif 000014